(57)【要約】【課題】使用者に判断を求めることなく、ありのままの事実を入力するだけで、それらの情報に基づいて日々の記録を作成できる電子日記を提供する。【解決手段】体調入力手段、自覚症状情報入力手段及び環境入力手段２により入力された情報を制御手段３において指標化し、そのデータ及びコメント入力手段により入力されたデータを記憶手段４で記憶させ、その記憶されたデータを出力手段５で所定の様式に表示する。体調、自覚症状及び環境情報並びにコメントが指標化された状態で表示されるので分かりやすい。【選択図】図１
0003101724.tif 000002
【実用新案登録請求の範囲】
【請求項１】
体調に関する情報を入力する体調入力手段と、自覚症状に関する情報を入力する自覚症状入力手段と、環境情報を入力する環境入力手段と、コメントを入力するコメント入力手段と、前記体調入力手段、自覚症状入力手段及び環境入力手段により入力された情報を指標化する制御手段と、前記制御手段で指標化されたデータ及びコメント入力手段により入力されたデータを記憶する記憶手段と、該記憶手段のデータを視認可能なように出力する出力手段とを備えた電子日記。
【請求項２】
電子日記本体との間で通信を行う携帯端末から、体調、自覚症状、環境及びコメントの情報が入力可能とされた請求項１記載の電子日記。
【考案の詳細な説明】
【技術分野】
【０００１】
本考案は、体調、自覚症状、環境やコメントなどの入力された情報を分析して表示する電子日記に関する。
【背景技術】
【０００２】
使用者により入力された日記情報を管理する対話式日記作成装置が、特開２００１−１３４５５９号公報に開示されている。特開２００１−１３４５５９号公報記載の日記作成装置は、体調等に関する情報、例えば「どんな日であったか」、「今日の気分はどうか」という質問に対して使用者が３者択一で回答し、また、「恋愛」、「お金」、「体」、「仕事／勉強」等の質問に対しては、使用者自身が５段階評価して回答入力するようになっている。
【０００３】
【特許文献１】特開２００１−１３４５５９号公報
【考案の開示】
【考案が解決しようとする課題】
【０００４】
しかしながら、質問項目に対して使用者自身が段階的な評価を決断してから入力しなければならないので面倒であった。また、限られた回答しかできないので、回答の幅が狭まってしまっていた。
【０００５】
本考案は、上記に鑑み、使用者に判断を求めることなく、ありのままの事実を入力するだけで、それらの情報に基づいて日々の記録を作成できる電子日記を提供することを目的とする。
【課題を解決するための手段】
【０００６】
上記課題を解決するために、本考案は、体調に関する情報を入力する体調入力手段と、自覚症状に関する情報を入力する自覚症状入力手段と、環境情報を入力する環境入力手段と、コメントを入力するコメント入力手段と、前記体調入力手段、自覚症状情報入力手段及び環境入力手段により入力された情報を指標化する制御手段と、前記制御手段で指標化されたデータ及びコメント入力手段により入力されたデータを記憶する記憶手段と、該記憶手段のデータを視認可能なように出力する出力手段とを備えたものである。
【０００７】
体調に関する情報とは、血圧、体温、脈拍、呼吸回数、血中酸素飽和度、心電、体重、血糖値などの生理的なデータである。自覚症状に関する情報は、気分が良い、気分が悪い、頭痛、吐き気、腹痛などの本人が知覚しうる健康状態に関するデータである。環境に関する情報とは、天気、気温、湿度、気圧、風向き、風速などの気象データである。コメントとは、特に限定されるものではなく、その日にあった出来事や感じたこと又は確認事項などのメモである。これらの情報は、文字データに限らず、音声データ又は画像データで入力することも可能である。
【０００８】
指標化とは、各情報の内容があらかじめ段階的に分類された複数の区分のどれに該当するかを判断して、その区分に相当する指標で表すことである。例えば、血圧の場合、あらかじめ血圧値を「正常値の範囲」、「正常値の範囲よりも高い範囲」、「正常値の範囲よりも低い範囲」の区分に分けておき、入力手段により入力された血圧値がどの範囲に該当するか判断する。そして、血圧値が「正常値の範囲」に該当する場合は「正常」と、「正常値の範囲よりも高い範囲」に該当する場合は「高い」又は「高血圧」と、「正常値の範囲よりも低い範囲」に該当する場合は「低い」又は「低血圧」と指標で表す。
【０００９】
制御手段で指標化されたデータは記憶手段で記憶され、出力手段より出力される。出力は、モニター等に表示する形態、プリントアウトする形態、音声出力する形態などのいずれの形態をとってもよい。
【００１０】
上記構成によれば、使用者が、ありのままの体調、自覚症状、環境及びコメントにかかる情報を入力しさえすれば、指標化された体調、自覚症状及び環境情報並びにコメントが表示される。したがって、使用者はこれらの情報を容易に分かりやすく確認することができる。
【００１１】
また、上記構成に加えて、電子日記本体との間で通信を行う携帯端末から、体調、自覚症状、環境及びコメントの情報を入力可能とすれば、遠隔地からも入力が可能となるので好ましい。電子日記本体は、有線あるいは無線の通信回線を通じてネットワークに接続され、通信機能を有したものであり、例えばパソコン、ＰＤＡ等が挙げられる。携帯端末としては、携帯電話、ＰＤＡ（Ｐｅｒｓｏｎａｌ  Ｄｉｇｉｔａｌ  Ａｓｓｉｓｔａｎｔｓ）又はネットワークに接続されたパソコンなどの、電子日記本体とネットワークを通じて通信可能な電子機器が挙げられる。
【考案の効果】
【００１２】
以上の説明から明らかな通り、本考案によると、使用者は、ありのままの体調、自覚症状、環境及びコメントにかかる情報を入力すれば、指標化された体調、自覚症状及び環境情報並びにコメントが表示されるので、これらの情報を容易に分かりやすく確認することができる。また、体調や自覚症状の情報を蓄積できるので、自己の健康管理にも役立つ。
【００１３】
さらにまた、携帯端末による入力が可能であるので、遠隔地からも入力が可能となる。したがって、印象に残ったことをその場でメモでき、毎日続けることができる。
【考案を実施するための最良の形態】
【００１４】
以下、本考案の実施の形態を図面に基づいて説明する。図１は、本電子日記の概略構成図である。図１に示すように、本電子日記は、電子日記本体であるパソコン本体１と、体調情報、自覚症状情報、環境情報及びコメントの入力手段であるキーボード２と、出力手段であるモニター５とからなり、それぞれケーブルにより接続される。
【００１５】
パソコン本体１は、通信機能を有し、制御装置が内蔵される。制御装置は、ＣＰＵ、ＲＯＭ及びＲＡＭ等から構成され、日記用のソフトウェアがインストールされている。入力手段により入力された体調情報、自覚症状情報及び環境情報を指標化し、コメント入力手段により入力された情報を分析する制御部３と、制御部３で指標化された体調情報、自覚症状情報及び環境情報並びにコメント情報並びに内蔵されたクロックを利用した日時を記憶する記憶部４とを有する。記憶部４により記憶されたデータは、出力手段であるモニター５に送られ、所定の様式で出力される。なお、入力手段はタッチパネル方式をとってもよく、また、出力手段は、プリンターにプリントアウトしたり、インターネットで送信したり、又は音声出力できるようにしてもよい。
【００１６】
また、体調、自覚症状、環境情報及びコメントの入力手段として携帯電話６が使用可能とされ、携帯電話６に入力された情報は、音声データ又は電子メールとしてパソコン本体１の制御部３に転送される。
【００１７】
パソコンのモニター５には、体調情報、自覚症状情報、環境情報及びコメント情報の入力欄が表示され、さらに体調情報に関しては「血圧」、「体温」、「脈拍」及び「呼吸回数」の項目、環境情報に関しては「天気」、「気温」及び「湿度」の項目に分けて入力欄が設けられる。自覚症状情報及びコメント情報に関しては、使用者の自由記載とされる。なお、項目は、必要に応じて適宜増減させてもよい。
【００１８】
指標化とは、各情報の内容をあらかじめ段階的に分類された複数の区分のどれに該当するかを判断して、その区分に相当する指標で表すことであり、各情報に合わせて設定できる。例えば、体調情報の場合、血圧、体温、脈拍及び呼吸回数のデータが入力されると、制御部３は、予め記憶されているそれぞれの情報の正常値の範囲内にそれぞれのデータが属しているかどうか判別し、データが正常値内であれば「正常」、正常値より低ければ「低い（又は少ない）」、正常値より高ければ「高い（又は多い）」と指標化する。
【００１９】
また、体調情報の総合評価として、血圧、体温、脈拍及び呼吸回数の情報の総合判断を指標化するようにしてもよい。例えば、血圧、体温、脈拍及び呼吸回数のうち全てが正常値である場合は「良い」、正常値から外れているものが１つの場合は「普通」、正常値から外れているものが２つ以上の場合は「悪い」と指標化する。
【００２０】
自覚症状情報の場合、気分が良い、気分が悪い、頭痛、吐き気、腹痛などが入力されると、制御部３は、そのデータが予め記憶されている自覚症状のマイナス要因に該当するか否かを分析し、「良い」、「普通」、「悪い」の項目のうちどれに該当するか判別する。例えば、気分が悪い、頭痛、吐き気、腹痛などのマイナス要因が１つもない場合は「良い」、マイナス要因が１〜２つの場合は「普通」、マイナス要因が３つ以上の場合は「悪い」と指標化する。
【００２１】
環境情報の場合、気温、湿度が入力されると、制御部３は、入力された日時に応じて予め記憶されているそれぞれの情報の快適値の範囲内にそれぞれのデータが属しているかどうか判別し、データが快適値内であれば「快適」、快適値より低ければ「低い」、快適値より高ければ「高い」と指標化する。なお、制御部３に予めそれぞれの情報の平均値を記憶させておき、それぞれのデータと平均値とを比較して、データが平均値と同じであれば「平均値」、平均値より低ければ「低い」、平均値より高ければ「高い」と判別し、併せて平均値との差も表示できるようにしてもよい。また、天気が入力されると、制御部３は、そのデータを分析し、予め記憶されている天気データに応じた絵のデータを読み出す。例えば、「晴れ」と入力された場合は太陽の絵、「曇り」と入力された場合は雲の絵、「雨」と入力された場合は傘の絵に指標化する。
【００２２】
また、気温及び湿度の情報の総合判断して指標化するようにしてもよい。例えば、気温及び湿度の両方が快適値内である場合は「快適」、一方が快適値から外れている場合は「普通」、両方とも快適値から外れている場合は「悪い」と指標化する。
【００２３】
そして、これらの指標化された情報及びコメント情報は記憶部４に記憶され、必要に応じてこれらの情報が所望の情報が所定の様式でモニター５に出力されるが、これを携帯電話６に送信することもできる。所定の様式としては、棒グラフ、折れ線グラフ等のグラフ形式又は表形式が挙げられ、使用者の所望する様式で表示できる。また、情報は、日別又は一定期間の情報を表示できる。
【００２４】
その表示様式の例を図２〜図３に示す。図２は日別に各情報を表形式で表示したもの、図３はある１週間の変化を折れ線グラフで表したものであり、横軸が日付、縦軸が体調情報である。図４はある１週間の変化を折れ線グラフで表示したものであり、横軸が日付、縦軸が自覚症状情報である。図５はある１週間の変化を折れ線グラフで表示したものであり、横軸が日付、縦軸が環境情報であり、日付の下に天気が表示される。また、体調情報、自覚症状情報及び環境情報を一つの折れ線グラフに表示するようにしてもよい。このようにデータが指標化されているので、使用者は容易にデータを確認することができる。
【００２５】
なお、本考案は上記実施形態に限定されるものではなく、本考案の範囲内で上記実施形態に多くの修正及び変更を加え得ることは勿論である。例えば、上記実施形態では、制御部３で指標化された情報、コメント情報及び日時のデータを記憶部４に記憶させていたが、それらのデータをメモリカード等の記録媒体に記録する。その記録媒体を着脱可能とすることにより、持ち運びが可能となる。ソフトがインストールされている電子機器であれば、どこでも日記をつけることができる。
【図面の簡単な説明】
【００２６】
【図１】本電子日記の概略構成図
【図２】日別の各情報を表示した図
【図３】体調情報の推移を示した図
【図４】自覚症状情報の推移を示した図
【図５】環境情報の推移を示した図
【符号の説明】
【００２７】
１    パソコン本体
２    キーボード
３    制御部
４    記憶部
５    モニター
６    携帯電話
【図１】
0003101724.tif 000003
【図２】
0003101724.tif 000004
【図３】
0003101724.tif 000005
【図４】
0003101724.tif 000006
【図５】
0003101724.tif 000007